(57)【要約】      （修正有）【課題】テント骨格の強度を高めるとともに、テント布上への水溜りを防止可能なテントの骨組みを提供する。【解決手段】レッグポール（１）、ヒンジ式梁（２）、骨格支持ポール（３）及び頂盤（４）を含み、レッグポール（１）が地面と垂直になるように、レッグポールの基部は地面に設置され、レッグポールの頂部は、骨格支持ポール（３）の一端にヒンジ接続され、骨格支持ポール（３）の他端は、頂盤（４）に接続され、隣接する２本のレッグポール（１）の頂部の間は、ヒンジ式梁（２）を介して接続されるテントの骨組みを提供する。本テントの骨組みは、さらに、コンロッド（５）及び頂盤支持ポールアセンブリを含み、コンロッド（５）の一端が頂盤（４）にヒンジ接続され、他端がヒンジ梁（２）上のヒンジ接続点にヒンジ接続され、頂盤支持ポールアセンブリは、頂盤（４）の下方に位置し、骨格支持ポール（３）及びコンロッド（５）のそれぞれにヒンジ接続される。【選択図】図２
0003213375.tif 000002
【実用新案登録請求の範囲】
【請求項１】
レッグポール（１）、ヒンジ式梁（２）、骨格支持ポール（３）及び頂盤（４）を含み、前記レッグポール（１）が地面と垂直になるように、前記レッグポールの基部は地面に設置され、前記レッグポールの頂部は、前記骨格支持ポール（３）の一端にヒンジ接続され、前記骨格支持ポール（３）の他端は、前記頂盤（４）に接続され、隣接する２本のレッグポール（１）の頂部の間は、ヒンジ式梁（２）を介して接続されるテントの骨組みであって、
さらに、コンロッド（５）及び頂盤支持ポールアセンブリを含み、前記コンロッド（５）の一端は、頂盤（４）にヒンジ接続され、前記コンロッドの他端は、ヒンジ式梁（２）上のヒンジ接続点にヒンジ接続され、前記頂盤支持ポールアセンブリは、前記頂盤（４）の下方に位置し、骨格支持ポール（３）及びコンロッド（５）にそれぞれヒンジ接続される、
ことを特徴とするテントの骨組み。
【請求項２】
隣接する２本のレッグポール（１）間のヒンジ式梁（２）は、第１の梁（２−１）及び第２の梁（２−２）の２本の梁を有するヒンジユニットを２組以上含み、第１の梁（２−１）と第２の梁（２−２）がそれぞれの中間箇所においてヒンジ接続されてＸ形状になり、隣接する２つのヒンジユニットが接続されると、前の１組のヒンジユニットの第１の梁（２−１）の後部がその後に接続される１組のヒンジユニットの第２の梁（２−２）の頭部にヒンジ接続され、当該ヒンジ接続点は、高位ヒンジ接続点（６）であり、前の１組のヒンジユニットの第２の梁（２−２）の後部がその後に接続される１組のヒンジユニットの第１の梁（２−１）の頭部にヒンジ接続され、当該ヒンジ接続点は、低位ヒンジ接続点（７）である、
ことを特徴とする請求項１に記載のテントの骨組み。
【請求項３】
前記コンロッド（５）の一端は、ヒンジ式梁（２）における高位ヒンジ接続点（６）にヒンジ接続される、
ことを特徴とする請求項２に記載のテントの骨組み。
【請求項４】
前記頂盤支持ポールアセンブリは、底盤（８）及び複数本の補助支持ポール（９）を含み、前記底盤（８）が前記頂盤（４）の直下に位置し、前記複数本の補助支持ポール（９）の一端はそれぞれ底盤（８）にヒンジ接続され、前記複数本の補助支持ポール（９）の他端は、それぞれ骨格支持ポール（３）又はコンロッド（５）にヒンジ接続される、
ことを特徴とする請求項１に記載のテントの骨組み。
【請求項５】
前記骨格支持ポール（３）及びコンロッド（５）は、いずれも折り畳み可能なポールである、
ことを特徴とする請求項１に記載のテントの骨組み。
【考案の詳細な説明】
【技術分野】
【０００１】
本考案は、テントに関し、より詳細には、水溜り防止可能なテントの骨組みに関する。  
【背景技術】
【０００２】
テントは、アウトドア用品であり、一般的には、支持骨格及びテント布を含む。携帯する際の利便性のため、支持骨格は、通常、折り畳み可能な骨格構造に設計される。従来技術において、テント骨格の折り畳みは、通常、ヒンジ式の梁とレッグポールの支持フレームとの間の接続構造によりテントを伸縮させて実現する。図１に示されるように、従来のテントは、レッグポール０１、ヒンジ式梁０２、骨格支持ポール０３及び頂盤０４を備える。複数本の骨格支持ポール０３は、それぞれの一端が全て頂盤０４に接続し、他端はそれぞれレッグポール０１の頂部に接続する。レッグポール０１の基部は地面に設置され、隣接する２本のレッグポール０１の頂部の間は、ヒンジ式梁０２を介して接続する。ヒンジ式梁は、少なくとも１組のクロス式のロッドを含み、２組以上のクロス式のロッドを含む場合、隣接する２組のクロス式のロッドは、それぞれの端部がヒンジ接続される。テントを広げて使用する場合、レッグポール間のヒンジ式の梁を広げると、テント布が骨格支持ポールに支持される。一方、テントを撤収する場合には、ヒンジ式の梁が折り畳まれ、体積が縮小され、携帯しやすくなる。しかし、このような構造の折り畳みテント骨格では、クロス式のロッド間に菱形構造が形成されるため、支持の安定性がよくなり、側方向の捻じ曲がりが発生し易く、接続点がねじ切れる可能性がある。特に、レッグポールとレッグポールとの間の距離が長い場合、ヒンジ式梁の横方向の折れ曲がりに対する抵抗力が低い。そのため、大きい外力を受けると、ヒンジが折れ曲がる、あるいは折れるため、使用寿命が短い。また、風や雨の日には、骨格支持ポール間のテント布上に、水が溜って垂れ易くなったり、天幕の布が破れ、最終的にはテントの骨格が押し潰されてテント全体が損壊するという問題が生じる可能性がある。
【考案の概要】
【０００３】
本考案が解決しようとする技術的課題は、ヒンジ式梁によるテント布の支持の安定性を強化することにより、テント骨格の強度を高めるとともに、テント布上への水溜りを防止可能な水溜り防止テントの骨組みを提供することである。
【０００４】
上記技術的課題を解決するために、本考案にかかる水溜り防止テントの骨組みは、以下の構成を有する。すなわち、レッグポール、ヒンジ式梁、骨格支持ポール及び頂盤を含み、上記レッグポールが地面と垂直になるように、上記レッグポールの基部は地面に設置され、上記レッグポールの頂部は、上記骨格支持ポールの一端にヒンジ接続され、上記骨格支持ポールの他端は頂盤に接続され、隣接する２本のレッグポールの頂部の間は、ヒンジ式梁を介して接続される。本発明にかかるテントの骨組みは、さらに、コンロッド及び頂盤支持ポールアセンブリを含み、上記コンロッドの一端は、頂盤にヒンジ接続され、上記コンロッドの他端はヒンジ式梁上のヒンジ接続点にヒンジ接続され、上記頂盤支持ポールアセンブリは、頂盤の下方に位置し、骨格支持ポール及びコンロッドにそれぞれヒンジ接続される。
【０００５】
隣接する２本のレッグポール間のヒンジ式梁は、第１の梁及び第２の梁の２本の梁を有するヒンジユニットを２組以上含み、第１の梁と第２の梁がそれぞれの中間箇所においてヒンジ接続されてＸ形状になり、隣接する２つのヒンジユニットが接続されると、前の１組のヒンジユニットの第１の梁の後部がその後に接続される１組のヒンジユニットの第２の梁の頭部にヒンジ接続され、当該ヒンジ接続点は、高位ヒンジ接続点であり、前の１組のヒンジユニットの第２の梁の後部がその後に接続される１組のヒンジユニットの第１の梁の頭部にヒンジ接続され、当該ヒンジ接続点は、低位ヒンジ接続点である。
前記コンロッドの一端は、ヒンジ式梁における高位ヒンジ接続点にヒンジ接続される。
【０００６】
上記頂盤支持ポールアセンブリは、底盤及び複数本の補助支持ポールを含み、底盤が頂盤の直下に位置し、複数本の補助支持ポールの一端はそれぞれ底盤にヒンジ接続され、複数本の補助支持ポールの他端はそれぞれ骨格支持ポール又はコンロッドにヒンジ接続される。
前記骨格支持ポール及びコンロッドは、いずれも折り畳み可能なポールである。  上記構造によれば、本考案は、従来技術に比べて以下の利点を有する。
【０００７】
１）ヒンジ式梁上のヒンジ接続点と頂盤との間にコンロッドが設けられるため、ヒンジ式梁の強度が強化され、ヒンジ式梁が捻じ曲がって変形することが回避できる。さらに、テント布上で最も水が溜って垂れ易い三角の傾斜面における中間位置が有効な支持されることにより、テントの正常使用が保証される。一方、頂盤支持ポールアセンブリの伝達作用により、コンロッドは、骨格の広がりに伴って自動的にまっすぐに伸び、かつ骨格の撤収に伴って自動的に折り畳まれて撤収され、骨格支持ポールは、広げるとき、より堅固に支持することができる。以上のとおり、上記構造によれば、テント骨格全体の各部品が一体的に繋がる場合、より堅固で、かつまっすぐに立てられ、テントの広がり状態にもより膨らみが出て、テント布上の水溜りをより有効に防止することができる。
【０００８】
２）ヒンジ式梁上の高位ヒンジ接続点をコンロッドの接続点とすることにより、コンロッドがテント布の裏面を直接有効に支持し、水溜りを有効に防止できる。
【０００９】
３）骨格支持ポール及びコンロッドのいずれも折り畳み可能な構造となるように設計することにより、折り畳み式テントのニーズに応じて、撤収後のテントの体積をより小さくすることができ、かつ一体構造を保持することができる。
【図面の簡単な説明】
【００１０】
【図１】従来技術による折り畳みテントの骨組みの構造の一例を示す模式図である。
【図２】本考案の一実施形態によるテントの骨組みの構造の一例を示す模式図である。
【考案を実施するための形態】
【００１１】
以下、図面及び具体的な実施形態を参照しながら、本考案をより詳細に説明する。
図２は、本考案の一実施形態によるテントの骨組みの構造の一例を示す模式図である。図２に示すように、本水溜り防止テントの骨組みは、レッグポール１、ヒンジ式梁２、骨格支持ポール３及び頂盤４を含む。レッグポール１が地面と垂直になるように、レッグポールの基部は地面に設置され、レッグポールの頂部は、骨格支持ポール３の一端にヒンジ接続され、骨格支持ポール３の他端は、頂盤４に接続され、隣接する２本のレッグポール１の頂部の間は、ヒンジ式梁２を介して接続される。当該水溜り防止テントの骨組みは、さらに、コンロッド５及び頂盤支持ポールアセンブリを含み、コンロッド５の一端は、頂盤４にヒンジ接続され、コンロッド５の他端は、ヒンジ式梁２上のヒンジ接続点にヒンジ接続され、頂盤支持ポールアセンブリは、頂盤４の下方に位置し、骨格支持ポール３及びコンロッド５にそれぞれヒンジ接続されることを特徴とする。
【００１２】
隣接する２本のレッグポール１間のヒンジ式梁２は、２組以上のヒンジユニットを含み、各組のヒンジユニットは、第１の梁２−１及び第２の梁２−２の２本の梁を含み、第１の梁２−１と第２の梁２−２がそれぞれの中間箇所においてヒンジ接続されてＸ形状となる。隣接する２つのヒンジユニットが接続されると、前の１組のヒンジユニットの第１の梁２−１の後部がその後に接続される１組のヒンジユニットの第２の梁２−２の頭部にヒンジ接続され、当該ヒンジ接続点は、高位ヒンジ接続点６であり、前の１組のヒンジユニットの第２の梁２−２の後部がその後に接続される１組のヒンジユニットの第１の梁２−１の頭部にヒンジ接続され、当該ヒンジ接続点は、低位ヒンジ接続点７である。
上記コンロッド５の一端は、ヒンジ式梁２における高位ヒンジ接続点６にヒンジ接続される。
【００１３】
上記頂盤支持ポールアセンブリは、底盤８及び複数本の補助支持ポール９を含み、底盤８が頂盤４の直下に位置し、複数本の補助支持ポール９の一端はそれぞれ底盤８にヒンジ接続され、複数本の補助支持ポール９の他端はそれぞれ骨格支持ポール３又はコンロッド５にヒンジ接続される。
上記骨格支持ポール３及びコンロッド５は、いずれも折り畳み可能なポールである。
【００１４】
以上の説明は、本考案の好ましい実施形態の例示に過ぎず、それにより本考案の技術的範囲が限定されるものではない。当業者が、本考案の技術方案及び技術思想を基に行った、他の様々な変更は、すべて本考案の技術的範囲に包含されるものである。
【符号の説明】
【００１５】
０１  レッグポール、０２  ヒンジ式梁、０３  骨格支持ポール、０４  頂盤、１  レッグポール、２  ヒンジ式梁、２−１  第１の梁、２−２  第２の梁、３  骨格支持ポール、４  頂盤、５  コンロッド、６  高位ヒンジ接続点、７  低位ヒンジ接続点、８  底盤、９  補助支持ポール
【図１】
0003213375.tif 000003
【図２】
0003213375.tif 000004